(57)【要約】【課題】固定状態の読取ユニットが移動しようとして読取ユニット等が変形・破損することがなく、かつ、安価、簡易な構成で、読取ユニットの固定状態を確実に検出できる画像読取装置を提供する。【解決手段】原稿を載置する原稿載置面５２と、原稿載置面５２の下方で移動機構６９により水平方向で移動され、原稿に光を照射し、その反射光により原稿を読み取る読取ユニット６０と、画像処理部８５を備えた画像読取装置１において、読取ユニット６０を固定するための固定部７０と、読取ユニット６０の固定状態を検知するための検知部を有し、検知部は、読取ユニット６０と、被検出体７１と、画像処理部８５で構成され、固定状態の読取ユニット６０が読み取りを行い、被検出体７１が突出されていることを画像処理部８５が認識することで、読取ユニットの固定状態を検知する。【選択図】図４
2008211281.tif 000002
【特許請求の範囲】
【請求項１】
原稿を載置する透光性の原稿載置面と、前記原稿載置面の下方に配され、移動機構により水平方向で移動され、前記原稿載置面に載置された原稿に光を照射し、その反射光により原稿を読み取る読取ユニットと、読み取った原稿の画像データを処理する画像処理部を備えた画像読取装置において、
前記読取ユニットを所定の位置で固定するための固定部と、前記読取ユニットが固定状態であることを検知するための検知部を有し、
前記検知部は、前記読取ユニットと、前記固定部による前記読取ユニットの固定に連動して固定状態での読み取り範囲に突出される被検出体と、前記画像処理部で構成され、
固定状態の前記読取ユニットが読み取りを行い、前記被検出体が突出されていることを前記画像処理部が認識することで、前記読取ユニットの固定状態を検知することを特徴とする画像読取装置。
【請求項２】
前記固定部と前記被検出体は一つの部材として構成されていることを特徴とする請求項１記載の画像読取装置。
【請求項３】
前記読取ユニットの固定及び固定の解除を選択し、操作するため、装置本体の表面に操作部材が設けられており、
前記操作部材は、前記固定部及び前記被検出体と連結されていることを特徴とする請求項１又は２に記載の画像読取装置。
【請求項４】
前記読取ユニットのシェーディング補正に用いられるシェーディング板を備え、
固定状態の前記読取ユニットと前記シェーディング板の間に、前記被検出体が突出することを特徴とする請求項１乃至３のいずれか１項に記載の画像読取装置。
【請求項５】
前記検知部が前記読取ユニットの固定状態を検知した場合に前記移動機構を停止させるための制御部を有することを特徴とする請求項１乃至３のいずれか１項に記載の画像読取装置。
【請求項６】
前記検知部が前記読取ユニットの固定状態を検知した場合に警告音を発する音源を備えることを特徴とする請求項１乃至５のいずれか１項に記載の画像読取装置。
【請求項７】
請求項１乃至６のいずれか１項に記載の画像読取装置を備えた画像形成装置。
【請求項８】
画像形成装置の状態を表示するための表示部を備え、
前記表示部は、前記検知部が前記読取ユニットの固定状態を検知した場合に前記読取ユニットが固定状態であることを表示することを特徴とする請求項７記載の画像読取装置。
【発明の詳細な説明】
【技術分野】
【０００１】
本発明は、スキャナや、原稿の読み取りのため複写機・ファクシミリ機等の画像形成装置に備えられる画像読取装置に関する。又、この画像読取装置を備えた画像形成装置に関する。
【背景技術】
【０００２】
従来から、スキャナとして、又は複写機等に備えられる画像読取装置には、原稿台に載置された原稿に対し光を照射し、ＣＣＤやＣＩＳにより、その反射光を電気信号に変換し原稿の画像を光学的に読み取るものがある。このような画像読取装置は、装置内に原稿読み取りのための光源や反射ミラー等の複数の光学系部材が取り付けられた読取ユニットを備え、原稿台上の原稿を走査するため、読取ユニットを水平方向で移動させるようになっている。又、読取ユニットの光学系部材は、正確な読み取りのため、高い精度で製造され、取り付けられる。
【０００３】
そして、画像読取装置は、製造・組立のため輸送されることがあり、又、製造・組立後の画像読取装置やこれを備えた画像形成装置等は、国内外の需要者や流通倉庫等に向けて運搬・輸送される。
【０００４】
しかし、この運搬・輸送の際に、振動、衝撃等により読取ユニットの光学系部材がずれたり、変形したりすることがある。又、読取ユニットは移動可能であるから、読取ユニットが輸送中に画像読取装置の枠体等に衝突して読取ユニットや光学系部材が破損してしまう場合がある。そこで、輸送による読取ユニットの不具合や破損を回避するため、固定用の部材により読取ユニットが動かないように、読取ユニットを固定することが行われる。
【０００５】
このような読取ユニットの固定に関して、特許文献１や２に記載される発明が提案されている。特許文献１には、２つの移動走査体で構成される走査光学系を備え、一方の移動走査体を固定する第１の固定部と、他方の移動走査体と第１の固定部を固定する第２の固定部を備えた画像形成装置が記載されている。これにより、輸送時の振動等から光学系部材の変形を防止しようとしている（特許文献１：請求項１、段落００５４等参照）。
【０００６】
又、特許文献２には、枠体と、原稿読み取りのための光学系部材を備えた光学系ユニットと、光学系ユニットを輸送する際に光学系部材を枠体に一時的に固定する固定手段と、光学系ユニットの使用時に固定手段の外し忘れを検出するため、外し忘れセンサを備えて構成されていることを特徴とする固定手段外し忘れ防止構造が記載されている。これにより、固定手段の外し忘れを防止しようとしている（特許文献２：請求項１、段落０００８乃至００１０参照）。
【特許文献１】特開平０７−２１９０６７号
【特許文献２】特開２００５−０２６９３２
【発明の開示】
【発明が解決しようとする課題】
【０００７】
ここで、光学系部材を備えた読取ユニットを固定したまま画像読取装置を使用すると、読取ユニットは移動できないが、画像読取装置は読取ユニットを移動させようと動作するから、画像読取装置の故障、破損が生ずる場合があるという問題がある。具体的には、読取ユニットを移動させるためモータが過負荷のため故障したり、脱調したりすることがある。又、読取ユニットを移動させるための駆動機構に大きな負荷がかかり、読取ユニット自体や駆動機構を構成する要素が変形、破損してしまうことがある。
【０００８】
特に、画像読取装置やこれを備えた画像形成装置では、主電源を入れた際や、原稿読み取り動作の最初に、読取ユニットの基準位置の検出やシェーディング補正といった初期動作を行うものがある。使用者は、画像読取装置や画像形成装置の梱包を解き、装置をセッティングした後、読取ユニットの固定を解除し忘れたまま主電源を入れてしまうことも多く、この初期動作により、読取ユニットが移動しようとして、読取ユニットやモータ、駆動機構等が変形・破損してしまうことがあるという問題もある。従って、読取ユニットが固定されている状態であることは、読取ユニットが移動し始めてすぐに認識される必要がある。
【０００９】
そこで、特許文献１記載の発明を見ると、特許文献１記載の発明は、２つの移動走査体を確実に固定することを目的とする。しかし、固定部の外し忘れについての言及、示唆はなく、固定部の外し忘れは、一切考慮されていない。従って、特許文献１記載の発明では、固定部の外し忘れによる読取ユニット等の変形・破損の問題に対応できないという問題がある。
【００１０】
次に、特許文献２記載の発明をみると、固定手段の外し忘れを検出するためのセンサを備えるから、固定手段の外し忘れを防止することができる。しかし、固定手段の外し忘れを検知するためのセンサが１又は複数必要である。従って、画像読取装置が高コストとなる要因となり、又、センサのための配線も必要となり、画像読取装置の構造が複雑化する要因となる。
【００１１】
本発明は、上記従来技術の問題点に鑑みてなされたものであり、読取ユニットが固定状態で移動しようとして読取ユニット等が変形・破損することがなく、かつ、安価、簡易な構成で、読取ユニットの固定状態を確実に検出できる画像読取装置を提供することを課題とする。又、この画像読取装置を備えることにより、読取ユニットが固定状態であることを容易に知ることができ、又、固定状態の読取ユニットが移動することによる故障や破損がなく、使用者にとって利便性の高い画像形成装置を提供することを課題とする。
【課題を解決するための手段】
【００１２】
上記目的を達成するために、請求項１に係る発明は、原稿を載置する透光性の原稿載置面と、前記原稿載置面の下方に配され、移動機構により水平方向で移動され、前記原稿載置面に載置された原稿に光を照射し、その反射光により原稿を読み取る読取ユニットと、読み取った原稿の画像データを処理する画像処理部を備えた画像読取装置において、前記読取ユニットを所定の位置で固定するための固定部と、前記読取ユニットが固定状態であることを検知するための検知部を有し、前記検知部は、前記読取ユニットと、前記固定部による前記読取ユニットの固定に連動して固定状態での読み取り範囲に突出される被検出体と、前記画像処理部で構成され、固定状態の前記読取ユニットが読み取りを行い、前記被検出体が突出されていることを前記画像処理部が認識することで、前記読取ユニットの固定状態を検知することとした。
【００１３】
又、請求項２に係る発明は、請求項１記載の発明において、前記固定部と前記被検出体は一つの部材として構成されることとした。
【００１４】
又、請求項３に係る発明は、請求項１又は２に記載の発明において、前記読取ユニットの固定及び固定の解除を選択し、操作するため、装置本体の表面に操作部材が設けられており、前記操作部材は、前記固定部及び前記被検出体と連結されることとした。
【００１５】
又、請求項４に係る発明は、請求項１乃至３いずれか１項に記載の発明において、前記読取ユニットのシェーディング補正に用いられるシェーディング板を備え、固定状態の前記読取ユニットと前記シェーディング板の間に、前記被検出体が突出することとした。
【００１６】
又、請求項５に係る発明は、請求項１乃至４いずれか１項に記載の発明において、前記検知部が前記読取ユニットの固定状態を検知した場合に前記移動機構を停止させるための制御部を有することとした。
【００１７】
又、請求項６に係る発明は、請求項１乃至５のいずれか１項に記載の発明において、前記検知部が前記読取ユニットの固定状態を検知した場合に警告音を発する音源を備えることとした。
【００１８】
又、請求項７に係る発明は、画像形成装置であって、請求項１乃至６のいずれか１項に記載の画像読取装置を備えることとした。
【００１９】
又、請求項８に係る発明は、請求項１記載の発明において、画像形成装置の状態を表示するための表示部を備え、前記表示部は、前記検知部が前記読取ユニットの固定状態を検知した場合に前記読取ユニットが固定状態であることを表示することとした。
【発明の効果】
【００２０】
請求項１記載の発明によれば、固定部により輸送中は読取ユニットを固定することができ、輸送中の振動や衝撃による読取ユニットの光学系部材のずれ、変形、破損を防止することができる。又、輸送中に、読取ユニットが画像読取装置の枠体等に衝突して読取ユニット、光学系部材、画像読取装置が破損、変形することがなくなる。
【００２１】
更に、読取ユニットが固定状態における読み取り範囲に被検出体が突出するから、被検出体を読取ユニットが読み取り、これを画像処理部が認識することで読取ユニットが固定状態であることを確実に検知することができる。しかも、固定部の読取ユニットの固定に連動して被検出体を読み取り範囲に突出させるだけでよい。従って、何ら固定状態を検知するための特別なセンサを設けることがないから、コスト面で有利であり、又、構成も簡易な画像読取装置を提供することができる。
【００２２】
請求項２記載の発明は、請求項１記載の発明の効果に加え、固定部と被検出体は１つの部材として構成されるから、固定部と被検出体の連動を容易にすることができる。更に、２つの部材で構成するよりも安価にできるからコスト面で有利であり、又、画像読取装置内での取付、支持が容易となり画像読取装置の組立性を向上させることができる。
【００２３】
請求項３記載の発明によれば、請求項１又は２に記載の発明の効果に加え、固定部及び被検出体と連結される操作部材により読取ユニットの固定及びその解除を行うから、読取ユニットの固定状態又は解除状態の選択や操作を容易に行うことができる。更に、例えば、読取ユニットの固定をネジ止めするなど、特別な固定用の器具を用いる必要もない。従って、使用者の利便性を向上させることができる。
【００２４】
請求項４記載の発明は、被検出体が突出する範囲の好適な一例を示すものである。具体的にいうと、画像読取装置の主電源が入れられた場合や、読み取り動作を始める際に、初期動作として、読取ユニットはシェーディング補正を行うため白板状のシェーディング板を読み取る。従って、読取ユニットが固定状態であるにもかかわらず誤って電源が投入された場合、このシェーディング板上に支持部材を突出させておけば、読取ユニットが固定状態であることを確実かつ迅速に検知することができる。
【００２５】
請求項５記載の発明によれば、請求項１乃至４に記載の発明の効果に加え、制御部は、検知部が読取ユニットの固定状態を検知した場合に移動機構を停止させるから、移動機構を構成する例えばモータやギア等の機械要素に過負荷がかかることがなく、モータの脱調や故障、ギア等の変形・破損等の不具合を防ぐことができ、又、読取ユニット自体も変形・破損をなくすことができる。
【００２６】
請求項６記載の発明は、請求項１乃至５にいずれか１項に記載の発明の効果に加え、検知部が読取ユニットの固定状態を検知した場合に音により固定状態であることを知らせることができ、使用者の注意を喚起することができる。
【００２７】
請求項７記載の発明によれば、請求項１乃至６にいずれか１項に記載の画像読取装置を用いるから、読取ユニットが固定状態であることを容易に検知することができ、固定状態の読取ユニットが移動することによる故障や破損を無くすことができ、使用者にとって利便性の高い画像形成装置を提供する。
【００２８】
請求項８記載の発明によれば、請求項７記載の発明の効果に加え、視覚により伝達することで、読取ユニットが固定状態であることを使用者に迅速に理解させることができる。
【発明を実施するための最良の形態】
【００２９】
以下、本発明の実施形態について図１〜８を参照しつつ説明する。但し、本実施の形態に記載されている構成、配置等の各要素は、発明の範囲を限定するものではなく単なる説明例にすぎない。
【００３０】
まず、図１を用いて、本発明の実施形態における画像読取装置１を備えた電子写真方式の画像形成装置２の概略を説明する。図１は、本発明の実施形態に係る画像形成装置２の概略構成を示す正面から見た模型的断面図である。
【００３１】
図１に示すように、本実施形態に係る画像形成装置２は、箱形を呈した本体部３を有し、本体部３の上方に画像読取装置１が配され、その上面に載置された原稿搬送装置４が設けられている。そこで、まず、原稿搬送装置４の各部の構成と動作について説明する。
【００３２】
前記、原稿搬送装置４は、本体部３に図１の紙面奥側を支点として本体部３に開閉自在に取り付けられる。原稿搬送装置４は、原稿載置トレイ１０から原稿搬送路１１に沿って原稿搬送方向上流側から順に、原稿載置トレイ１０、原稿ピックアップローラ１２、原稿搬送ローラ対１３、原稿排出ローラ対１４、原稿排出トレイ１５等を備える。
【００３３】
前記原稿載置トレイ１０は、複数枚の原稿を載置できるようになっていて、原稿搬送路１１上流端に接続される。そして、前記原稿ピックアップローラ１２は、原稿載置トレイ１０上の原稿のうち最上面の原稿に当接する位置に配され、原稿読み取り又は画像形成をする旨の入力が、画像形成装置２に対してなされると、原稿搬送路１１に向けて原稿を送り出す。
【００３４】
原稿搬送路１１に送り出された原稿は、複数の原稿搬送ローラ対１３やガイドに導かれつつ、原稿搬送装置４用のコンタクトガラス（原稿通過面５１）を通過する。詳細は後述するが、この際に、画像読取装置１によって、原稿の読み取りがなされる。そして、読み取りが完了した原稿は、ガイドや原稿搬送ローラ対１３、原稿排出ローラ対１４を通過して、原稿搬送路１１の下流端につなげて設けられ排出される原稿を受け止めるための前記原稿排出トレイ１５に排出される。
【００３５】
次に、本体部３の構成、動作について説明する。
【００３６】
本体部３は、その内部に、画像読取装置１、シート供給部２０、シート搬送路２４、画像形成部３０、定着装置４０、シート排出部４３等を備え、本体部３の中央上方位置に排紙空間が設けられる。そこで、これらの構成をシートＳの搬送経路に沿って説明する。尚、図１において、シートＳの本体部３内での搬送経路を実線矢印で図示する。
【００３７】
まず、シート供給部２０は、画像形成部３０に向けて、例えば、コピー用紙、ＯＨＰシートＳ、ラベル用紙等のシートＳを送り出すためのものであり、本体部３の最下部に設けられる。シート供給部２０は、給紙カセット２１、シート載置板２２、給紙ローラ２３等で構成される。
【００３８】
前記給紙カセット２１は、複数のシートＳを積載し収容するためのものであって、函型かつ上面が開放されていて、シート補給のため本体部３から引き出して脱着可能である。そして、給紙カセット２１内に、複数のシートＳが載置されるシート載置板２２が設けられる。又、給紙カセット２１のシート搬送方向下流側上部（図１における左上方位置）に給紙ローラ２３が設けられる。具体的なシート供給動作をみると、シート載置板２２に設けられたリフト機構（不図示）により、載置された最上位のシートＳは、常時給紙ローラ２３に当接する状態とされる。そして、画像形成装置２に対して画像を形成する旨の入力がなされると、給紙ローラ２３は、所定の方向（図１では時計方向）に回転駆動し、シートＳを１枚ずつシート搬送路２４に送り出す。
【００３９】
前記シート搬送路２４は、画像形成装置２内でシートＳを搬送するためのものであり、シート供給部２０から、画像形成部３０、定着装置４０を経て、シート排出部４３までシートＳを搬送する。そのため、シート搬送路２４は、本体部３内を上下方向に貫くように形成される。そして、シート搬送路２４は、搬送ローラ対２５やシートＳを案内するための複数のガイド板（不図示）で構成される。又、画像形成部３０のシート搬送方向上流側の手前には、レジストローラ対２６が設けられる。レジストローラ対２６は、一旦、搬送されてきたシートＳを止め、シートＳの適切な位置でトナー像が転写されるように、所定のタイミングと速度でシートＳを画像形成部３０に向けて送り出す。
【００４０】
前記画像形成部３０は、画像読取装置１が読み取った原稿や画像形成装置２に入力された画像データに基づき、形成すべき画像のトナー像を形成し、シートＳに転写を行うためのものであって、図１において、本体部３の中央よりやや左方の位置に配される。そして、画像形成部３０は、像担持体としての感光体ドラム３１、帯電装置３２、露光装置３３、現像装置３４、転写ローラ３６、クリーニング装置３７等で構成されている。
【００４１】
前記感光体ドラム３１は、画像形成部３０の略中央位置に配され、駆動装置（不図示）によって所定の方向（図１では時計方向）に回転駆動され、例えば、アルミニウム製のドラムの外周面上に正帯電のＯＰＣやアモルファスシリコンの感光層を有するように構成される。そして、感光体ドラム３１の周面上に静電潜像が形成された後、トナーが供給されトナー像が感光体ドラム３１の周面上に形成される。
【００４２】
前記帯電装置３２は、図１において感光体ドラム３１の右斜め上方に対向して配され、所定の電位で感光体ドラム３１の周面を帯電させる。本実施形態では、帯電装置３２として、コロナ帯電器を用いるが、感光体ドラム３１表面を所定の電位に帯電できればよく、帯電ローラやブラシによる帯電装置３２を用いてもよい。
【００４３】
前記露光装置３３は、図１における感光体ドラム３１及び帯電装置３２の右側方に配される。露光装置３３は、一様に帯電された感光体ドラム３１の周面に、形成すべき画像の画像データに基づき、光を感光体ドラム３１に対し照射し、感光体ドラム３１の周面を走査・露光する。これにより、感光体ドラム３１の周面上に静電潜像が形成される。
【００４４】
前記現像装置３４は、図１において感光体ドラム３１の下方に設けられ、トナーを収容するとともに、トナーを所定の電位に帯電させ、そのトナーを感光体ドラム３１の周面上に形成された静電潜像に向けて供給する。そして、現像装置３４内には、トナー供給のため、感光体ドラム３１と所定の隙間が設けられつつ対向する位置に現像ローラ３５が設けられる。この現像ローラ３５は、周面にトナーを担持しつつ所定の方向に回転し、更に、現像ローラ３５に所定の電圧が印加されると、トナーは像担持体に向けて飛翔し、静電潜像の現像が行われる。
【００４５】
前記転写ローラ３６は、図１において、感光体ドラム３１の左斜め下方に回転可能に支持される。転写ローラ３６は、感光体ドラム３１上に形成されたトナー像をシートＳに転写するためのものであり、感光体ドラム３１に当接し、転写のためのニップを形成する。そして、このニップにシートＳが進入し、転写ローラ３６に感光体ドラム３１の帯電極性と逆の極性の電圧が印加され、トナー像のシートＳへの転写がなされる。
【００４６】
前記クリーニング装置３７は、図１において、感光体ドラム３１の上方に配される。クリーニング装置３７は、感光体ドラム３１の周面上の残トナーや塵芥等を除去、回収するものである。本実施形態では、感光体ドラム３１の軸線方向に伸びて形成されるブレードを感光体ドラム３１に当接させているが、感光体ドラム３１を清掃できればよいからローラを用いてもよく、ブレードとローラを併用しても構わない。
【００４７】
前記定着装置４０は、シートＳに転写されたトナー像を加圧・加熱しトナーを溶融しシートＳに固着させるためのものであり、加熱ローラ４１、加圧ローラ４２等で構成されている。加熱ローラ４１内には発熱体が内蔵されており、発熱体は、トナーを溶融できる温度にまで加熱ローラ４１を暖める。加圧ローラ４２は、例えばシリコンゴム等の弾性を有する材料を用いて形成されている。この加熱ローラ４１と加圧ローラ４２は、圧接されニップを形成しており、このニップにトナー像が転写されたシートＳを進入させて、シートＳへのトナーの定着が行われる。定着が完了した後のシートＳは、排出部４３へと搬送され、排出部４３の側方に設けられた排出トレイ４４に向けて排出ローラ対４５から排出される。
【００４８】
ここで、上記した本実施形態における画像形成装置２による画像形成動作について簡単に説明する。画像形成装置２に画像を形成する旨の信号が入力されると、画像読取装置１により読み取った原稿の画像データ、もしくは、外部コンピュータから送信された画像データに基づき、画像形成装置２は、画像形成動作を開始する。
【００４９】
まず、画像形成部３０において回転駆動される感光体ドラム３１は、帯電装置３２によって一様に正極性に帯電される。そして、露光装置３３は、形成すべき画像の画像データを光信号に変換し、光を帯電された感光体ドラム３１上に照射し、走査露光する。これにより、形成すべき画像の静電潜像が形成される。そして、感光体ドラム３１上の静電潜像は、感光体ドラム３１の帯電極性（正極性）と同極性の現像バイアスが印加された現像装置３４からトナーの供給を受け、トナー像として可視像化される。そして、トナー像は、感光体ドラム３１と転写ローラ３６間のニップにおいて、レジストローラ対２６でタイミングをあわせつつニップに進入してきたシートＳに転写される。その後、シートＳは、定着装置４０にむけて搬送され、トナー像が溶融、固着された後、排出部４３より排出される。この動作を繰り返すことで連続的に画像形成がなされる。
【００５０】
次に、図１を用いて、本実施形態における画像読取装置１の基本的構成を説明する。
【００５１】
図１に示すように、本実施形態における画像読取装置１は本体部３の上部に備え付けられ箱形の筐体５０を有する。そして、画像読取装置１の上面には、図１の左方から、原稿通過面５１、原稿搬送ガイド５３、原稿載置面５２が配される。
【００５２】
前記原稿通過面５１は、原稿搬送装置４により搬送される原稿が接触しつつ通過する面であり、後述する読取ユニット６０を原稿通過面５１の下方に配置した状態で留めておき、原稿を通過させて原稿の読み取りが行われる。一方、前記原稿載置面５２は、書籍や新聞など原稿搬送装置４を使用できない場合等、原稿を１枚ずつ読み取る場合、原稿搬送装置４を持ち上げた上で、読み取るべき原稿を下向きにして原稿を載置する面である。原稿載置面５２における原稿の読み取りは、読取ユニット６０を原稿載置面５２の下方に配置して、後述する移動機構６９によりホームポジションから図１の右方向に水平に移動させて行う。これらの原稿通過面５１及び原稿載置面５２は、例えば、ガラスのような透光性の材料で一定の厚さを有する矩形状の板状部材により形成される。
【００５３】
そして、図１に示すように、原稿通過面５１と原稿載置面５２の間に挟み込まれるように原稿搬送ガイド５３が設けられる。この原稿搬送ガイド５３は、原稿通過面５１を通過した原稿を、原稿排出ローラ対１４に導き、原稿を斜め上方にガイドするための曲面を有する。又、詳細は後述するが、原稿搬送ガイド５３は、シェーディング板７６を原稿載置面５２との間に挟み込んで保持する部材としての役割も兼ねる。
【００５４】
又、図１に示すように、画像読取装置１の筐体５０内には、ワイヤ５４、巻取ドラム５５、レンズ５６、イメージセンサ５７、読取ユニット６０等が配される。
【００５５】
前記読取ユニット６０は、第１読取ユニット６０１と、第２読取ユニット６０２から構成される（詳細は後述）。尚、第１読取ユニット６０１は上方に、第２読取ユニット６０２は、下方に配される。そして、この第１及び第２読取ユニット６０１、６０２にはワイヤ５４が取り付けられ、ワイヤ５４の他端が巻取ドラム５５につながり、巻取ドラム５５が回転することで、読取ユニット６０が水平方向に移動する。
【００５６】
次に、図２及び図３により、画像読取装置１の具体的な構成について述べる。図２は、本発明の実施形態に係る画像読取装置１の枠体６７を背面上方から見た斜視図である。図３は、本発明の実施形態に係る画像読取装置１を正面から見た断面図である。
【００５７】
図２に示すように、画像読取装置１の筐体５０内に枠体６７が設けられる。枠体６７は、例えば、鉄のような金属の板状部材を折り曲げたり、板状部材を組み合わせたりすることで構成され、上面及び下面が開口した箱型を呈する。この枠体６７の上面に、原稿通過面５１、原稿載置面５２や原稿搬送ガイド５３等が設けられ、枠体６７内に、読取ユニット６０、巻取ドラム５５、ワイヤ５４、レンズ５６、イメージセンサ５７が支持される。
（尚、図２では読取ユニット６０、レンズ５６、イメージセンサ５７は不図示。）
【００５８】
画像読取装置１の背面にはモータＭが設けられており、このモータＭにはシャフト６８が接続される。シャフト６８は、枠体６７内に架け渡されていて枠体６７内のシャフト６８の両端には巻取ドラム５５が設けられる。そして、巻取ドラム５５にワイヤ５４が巻き付けられる（図２では手前側の巻取ドラム５５は不可視）。具体的には、巻取ドラム５５１つにつき、２本のワイヤ５４が巻き付けられていて、この２本のワイヤ５４は、それぞれ枠体６７の長手方向において異なる方向に伸びるように（図１では簡略化のため１本のみ図示）巻取ドラム５５に巻き付けられる。片側につき２本（計４本）のワイヤ５４を複数のプーリ（不図示）によって枠体６７内で適宜架け渡し、この２本のワイヤ５４と第１読取ユニット６０１及び第２読取ユニット６０２を連結させる。そして、モータＭの正逆回転を制御すると、走査方向に沿って自在に読取ユニット６０を移動させることができる。このようにして、読取ユニットを移動させるための移動機構６９が構成される。尚、第１ミラー６２からレンズ５６に至るまでの光路長が大きく変動しないようにするため、ワイヤ５４の架け回しにより、第２読取ユニット６０２は、第１読取ユニット６０１に対し１／２の速さで移動するように調整される。
【００５９】
このように、読取ユニット６０は水平方向で、モータＭの回転制御により、任意に移動させることができる。尚、図３に示すように、読取ユニット６０が移動する方向に沿って画像読取装置１の枠体６７の対向しあう内面の両方に、読取ユニット６０をガイドするためのレール６７ａ、６７ｂが設けられる（図２では不図示）。尚、図３において、上方のレール６７ａは、第１読取ユニット６０１をガイドし、下方のレール６７ｂは第２読取ユニット６０２をガイドする。
【００６０】
ここで、読取ユニット６０の詳細な構成及び実際の読み取り動作について、図３を参照しつつ説明する。尚、以下では、原稿載置面５２に載置された原稿について読み取る場合について説明する。図３における破線は反射光の進む方向を示し、実線矢印は、読取ユニット６０の走査方向（図３において右に向かう方向）を示す。
【００６１】
ここで、読取ユニット６０は、上述したように、第１読取ユニット６０１と第２読取ユニット６０２から構成される。第１読取ユニット６０１を構成する光源６１及び第１ミラー６２は、移動枠６３に支持される。光源６１は、原稿載置面５２の下方かつ原稿載置面５２に対向するように、図３の紙面垂直方向に伸びて形成される。そして第１ミラー６２は、光源６１の下方かつ走査方向上流側に位置するように固定される。又、第２読取ユニット６０２を構成する第２ミラー６４及び第３ミラー６５は移動枠６６に支持され、上方に第２ミラー６４、下方に第３ミラー６５が固定される。尚、及び第１ミラー６２、第２ミラー６４、第３ミラー６５も読み取りを行う領域に応じて、適宜、図３の紙面垂直方向に伸びて形成され、反射率の高い材料が塗布される等により適宜形成される。
【００６２】
具体的な読み取り動作について説明すると、光源６１から発せられた光が、原稿載置面５２上の原稿に当たり、その反射光を第１ミラー６２は、読取ユニット６０の走査方向の上流側に向けて反射する。そして、その光路上には、第２ミラー６４が配され、第２ミラー６４は下方に向けて、光を反射する。更に、その光路上には、第３ミラー６５が配され、第３ミラー６５は、走査方向下流側に向けて光を反射する。その後、反射光は、レンズ５６に集光され、例えば、ＣＣＤのラインセンサ等から構成されるイメージセンサ５７で結像され（図１参照）、画像濃度に応じた電気信号に変換される。そして、これらの走査動作を、読取ユニット６０が最初に位置するホームポジション（基準位置）から順次原稿端部まで連続的に行うことで、原稿画像全体が読み取られ、原稿画像がデータ化される。
【００６３】
次に、図４及び５を用いて、読取ユニット６０を固定するための固定部７０及び読取ユニット６０が固定状態であることを検知するための検知部について説明する。図４は、本発明の実施形態に係る読取ユニット６０の固定状態を説明するための正面から見た断面図である。図５は、本発明の実施形態に係る画像読取装置１の一部を破断した右斜め上正面からみた斜視断面図である。
【００６４】
図４に示すように、画像読取装置１の輸送中の振動や衝撃により、光源６１やミラーの固定位置のズレや、読取ユニット６０の破損の発生を防ぐため、本実施形態に係る画像読取装置１は、読取ユニット６０を固定することが可能である。尚、読取ユニット６０の固定位置は、その移動方向において適宜設定可能であるが、本実施形態では、画像読取装置１の正面左側に寄せた位置を所定の固定位置とする場合について述べる。
【００６５】
ここで、図４に示すように、読取ユニット６０を固定するための固定部７０と、読取ユニット６０に読み取られることで固定状態を検知するための被検出体７１（詳細は後述）は、固定部７０による固定と連動していれば別個の部材として構成されてもよいが、本実施形態では一体化され１つの固定・検出用部材７００として構成される。これにより、固定部７０と被検出体７１の連動を容易にし、２つの部材で構成するよりもコスト面で有利であり、画像読取装置１の組立性を向上させることができる。そして、基本的に固定・検出用部材７００は読取ユニット６０と枠体６７の間に配置される。
【００６６】
具体的に固定・検出用部材７００の形状について説明すると、図４に示すように、固定・検出用部材７００は、取付状態における最下方部分に断面逆Ｔ字状に形成された固定部７０を有し、固定部７０につながり水平方向かつ読取ユニット６０の移動方向に伸びる被検出体７１を有し、又、被検出体７１の上面の一部には読取ユニット６０の固定及び解除を選択するための操作部材７７と連結するための連結部７３を有している。このように、固定・検出用部材７００は、ＴとＬの文字を複数組み合わせたような断面を有している。
【００６７】
前記固定部７０は、読取ユニット６０の固定を行うためのものである。具体的には、図４及び図５に示すように、固定部７０は、読取ユニット６０の固定を行うために、２つの差込部分７０ａ、７０ｂを有しており、一方が、読取ユニット６０の移動方向に沿う方向に第２読取ユニット６０２の移動枠６６に設けられた穴部７４ａに挿通され、他方が画像読取装置１の筐体５０の左側面に設けられた穴部７４ｂに挿通される。
【００６８】
そして、第２読取ユニット６０２の穴部７４ａと筐体５０の穴部７４ｂは、対向するように設けられ、固定部７０の差込部分７０ａ、７０ｂを差し込めるように、差込部分７０ａ、７０ｂよりも大きく形成される。このように、第２読取ユニット６０２の穴部７４ａ及び筐体５０の穴部７４ｂは、固定部７０の差込部分７０ａ、７０ｂよりも大きく形成されるから、固定部７０は、穴部７４ａ、７４ｂへの挿通方向に対し垂直な方向（図４及び図５の紙面手前側と奥側の方向）にスライド可能となっている。言い換えると固定・検出用部材７００は、全体として画像読取装置１の前後方向でスライド移動する。
【００６９】
しかし、図５に示すように、固定部７０のうち、第２読取ユニット６０２の移動枠６６の穴部７４ａに差し込まれる差込部分７０ａに、画像読取装置１の背面側から正面側の方向（図５の紙面手前側）に向けて突部７５が設けられる。従って、図５に示すように、固定部７０のスライド移動により、突部７５が移動枠６６に引っ掛かる状態と、引っ掛からない状態が選択可能となる。即ち、突部７５が移動枠６６に引っ掛かっていない状態では第２読取ユニット６０２は走査方向に移動可能であり、引っ掛かっている状態では、第２読取ユニット６０２は固定され移動できない状態となる。言い換えると、突部７５が引っ掛かった状態から、それ以上走査方向下流側（図４における右方向）に移動できない。
【００７０】
ここで、固定部７０は、第２読取ユニット６０２の固定を行い、第１読取ユニット６０１の固定を行わない。その理由は、上述したように、ワイヤ５４により第１読取ユニット６０１と第２読取ユニット６０２は、連動して動くから、第１読取ユニット６０１は固定しなくても、第１読取ユニット６０１が大きく移動することはないため、読取ユニット６０全体としては固定されている状態であるためである。尚、第１読取ユニット６０１の固定も確実に行うならば、第１読取ユニット６０１の移動枠６３に穴部を設け、固定部材７０の差込部分７１を移動枠６３まで延ばして、その穴部に差し込めばよい。
【００７１】
前記検知部は、検知部は、読取ユニット６０と、固定部７０による読取ユニット６０の固定に連動して固定状態での読み取り範囲に突出される被検出体７１と、画像処理部８５で構成される。この検知部は、何らかのセンサを特別に設けるものではない。言い換えると、画像読取装置１において、従来から備わっている読取ユニット６０と画像処理部８５を、センサとして代用するものである。従って、固定状態を検知するための特別なセンサを設けることがなく、コスト面で有利である。尚、読取ユニット６０については、既に説明したとおりである。
【００７２】
前記被検出体７１は、図４及び図５に示すように読取ユニット６０と枠体６７に挟まれるように、読取ユニット６０の移動方向に伸びて形成される。そして、固定部７０とつながっているから、固定部７０のスライド移動に連動し、被検出体７１もスライド移動する。そうすると、この連動により、詳細は後述するが、読取ユニット６０が固定状態とされれば、固定状態の読取ユニット６０の読み取り範囲に被検出体７１が突出されることになる。
【００７３】
そして、図４に示すように、被検出体７１は、読取ユニット６０の移動方向においては、シェーディング板７６の下方まで伸びて形成されている。シェーディング板７６は、原稿通過面５１と原稿載置面５２の間に設けられる原稿搬送ガイド５３から走査方向下流側に延出して設けられる平板部５３ａと、原稿載置面５２の端部上面に挟まれるようにして設けられる。尚、平板部５３ａの上面には、原稿載置面５２に原稿を載置する際の目印として、Ａ４、Ｂ４、といった用紙の各サイズがプリントされる。
【００７４】
ここで、シェーディング板７６は、原稿読み取り前に画像に対する白レベルと黒レベルの設定をするシェーディング補正を行なうためのものである。具体的には、シェーディング板７６を読取ユニット６０が数ライン読み取り、読み取りデータの平均を白レベルと黒レベルの基準として、画像の濃度ばらつきを補正する。読取ユニット６０の待機すべき基準位置を検出するために用いられることがある。
【００７５】
一方、画像処理部８５は原稿画像の光電変換によりイメージセンサ５７（図１参照）から出力される電気信号から量子化を行い、画像データを生成して、各種処理を行うものである。そして、本実施形態にあっては、固定状態の読取ユニット６０が読み取りを行い、その読み取りデータに基づき、被検出体７１が突出されていることを画像処理部８５が認識することで、読取ユニット６０の固定状態を検知できる。
【００７６】
ここで、本実施形態の画像読取装置１は、画像形成装置に取り付けられているから、画像処理部８５は、画像形成装置１の全体の制御を行う基板上（制御部８０）に設けられるものとして（図８（ａ）参照）、詳細は後述する。尚、画像処理部８５は、当然、画像読取装置１内に設けられてもよい。
【００７７】
更に、図４及び５に示すように、固定・検出用部材７００は筐体５０の表面に設けられた操作部材７７と連結される。具体的には、連結部７３が操作部材７７と連結されている。そして、図５において破線矢印で示すように、操作部材７７を移動させれば、固定・検出用部材７００はこれに連動してスライド移動する。具体的に、画像読取装置１本体の正面側に操作部材７７を移動させれば、読取ユニット６０の固定がなされ、背面側に移動させれば、読取ユニット６０の固定は解除されている状態となる。これにより読取ユニット６０の固定状態又は解除状態の選択や操作を、特別な工具（例えば、ネジ、ドライバー）を用いることなく容易に行うことができる。
【００７８】
次に、図６及び７により、読取ユニット６０の固定状態における被検出体７１の読み取り範囲への突出について説明する。図６（ａ）は、本発明の実施形態に係る読取ユニット６０が固定され、被検出体７１が突出している状態を示す上面図である。図６（ｂ）は、本発明の実施形態に係る読取ユニット６０の固定が解除され、被検出体７１が突出していない状態を示す上面図である。図７は本発明の実施形態に係る被検出体７１の読み取りを説明するための拡大正面断面図である。
【００７９】
画像読取装置１の主電源が投入された場合や、原稿の読み取りを行う際に、画像読取装置１はまず、初期動作（イニシャライズ）を行う。この初期動作の際に、読取ユニット６０は、基準位置の設定等のため、シェーディング板７６の読み取り動作を行う。ここで、本実施形態における被検出体７１は、固定部７０の読取ユニット６０の固定に連動し、読取ユニット６０の固定状態における読み取り範囲に突出される。
【００８０】
具体的に、図６を用いて説明する。まず、原稿載置面５２の装置背面側端部に原稿載置面５２を押さえて固定するための押さえ板７８が設けられており、この押さえ板７８部分の読み込みは行えないから、押さえ板７８よりも正面側（図６（ａ）において２点鎖線で図示）の領域を読取ユニット６０は読み取る。従って、図６（ａ）に示すように、読取ユニット６０を固定していない状態では、被検出体７１は、読み取り範囲外に位置する。
【００８１】
そして、図６（ｂ）に示すように、操作部材７７を操作して、操作部材７７を画像読取装置１の正面側に移動させると、それに連動して、固定・検出用部材７００がスライド移動され、固定状態における読み取り範囲に、被検出体７１が突出される。この状態で被検出体７１を読取ユニット６０が読み取ると、読取ユニット６０が固定されていることを認識することができる。尚、図６（ｂ）では、読み取り範囲のうち、画像読取装置１の背面側から被検出体７１が突出する場合を示しているが、固定部７０の突部７５や操作部材７７の位置等を変更して、画像読取装置１の正面側から被検出体７１が突出するようにしてもよい。
【００８２】
そして、図７に示すように、画像読取装置１の主電源が投入され、読取ユニット６０が初期動作を行い、シェーディング板７６の読み取りを行おうとする。このとき、シェーディング板７６上に被検出体７１が突出しているから、読取ユニット６０は、被検出体７１を読み取ることになる。例えば、被検出体７１の下面を黒色等で着色しておくか、マーク、模様等を入れておいてもよく、シェーディング板７６は白色板であるのに、白色でない画像が読み取られることになる。そして、画像処理部８５は、読取データを認識し、直ちに被検出体７１が突出していることを検知する。即ち、読取ユニット６０が固定状態であることが認識され、読取ユニット６０と被検出体７１と画像処理部８５が検知部として機能する。
【００８３】
尚、図７においては、図４に示す固定状態と比べて、若干第１読取ユニット６０１が移動した状態となっているが、第１読取ユニット６０１は、固定されていないため、わずかに移動できるためである。しかし、本実施形態においては、シェーディング板７６の読み取りを数ライン行えば、被検出体７１により読取ユニット６０が固定状態であることを検知でき、しかも、後述するように数ライン読み込んだ際に、読取ユニット６０の移動は以後停止させられ、読取ユニット６０や移動機構６９の故障が生ずるまでには至らない。
【００８４】
又、全く第１読取ユニットを移動させる余地がなければ、固定部７０の差込部分７０ａを読取ユニット６０の移動方向（走査方向）沿って延ばすことにより、第２読取ユニット６０２の固定位置をシェーディング板７６に近づけておいてもよい。又、少なくともシェーディング板７６までは被検出体７１は伸びて形成されているから、主電源が投入された場合、まず、読取を行い、被検出体７１の突出を認識するようにしてもよく、読取ユニット６０の固定状態における読み取り範囲に被検出体７１が突出されるようになっていれば、読取ユニット６０の読み取りにより固定状態を検出することができる。
【００８５】
次に、図８に基づき、読取ユニット６０が被検出体７１を読み取った際の移動機構６９の制御について説明する。図８（ａ）は、本発明の実施形態に係る画像読取装置１の読取ユニット６０の制御部８０の一例を示すブロック図である。図８（ｂ）は、本発明の実施形態に係る画像形成装置２の表示部８９の一例を説明するための上面図である。
【００８６】
本実施形態に係る画像読取装置１は、固定状態の読取ユニット６０が被検出体７１を読み取った場合、移動機構６９を停止させるための制御部８０を有する。電源投入時の初期動作や使用者による画像形成入力等により、読取ユニット６０が移動するが、読取ユニット６０が固定状態のままであると、移動機構６９に大きな負荷がかかり、読取ユニット６０自体や移動機構６９を構成するモータＭやギア等の要素が変形、破損してしまうことを防ぐためである。
【００８７】
尚、本実施形態に係る画像読取装置１は、画像形成装置２に備えられたものであり、制御部８０は、画像形成装置２内の制御用基板上に設けられる。従って、画像読取装置１だけでなく画像形成装置２全体の制御を行うことができるものではあるが、本説明では、発明の実施に必要な部分についてのみ説明する。又、制御部８０は画像読取装置１内に設けるようにしてもよい。
【００８８】
そして、制御部８０は、ＣＰＵ８１、ＲＡＭ８２、ＲＯＭ８３、ＨＤＤ８４、画像処理部８５、判定部８６、制御信号出力部８７等を備えている。そして、制御部８０は、画像読取装置１とＩ／Ｏインターフェイス（不図示）を通じてつながっており、又、制御部８０にはモータＭ、音源８８、表示部８９等が信号線でつながっている。
【００８９】
中央演算処理装置としての前記ＣＰＵ８１は、制御部８０内の各部と信号線（不図示）により接続されている。読み出し・書き込み自在なＲＡＭ８２、読み出し専用なＲＯＭ８３、読み出し・書き込み速度は劣るが大容量のＨＤＤ８４は、いずれも記憶装置である。これらの記憶装置は、制御に必要となる画像読取装置１や画像形成装置２の状態情報や、制御プログラムや、画像情報を一時的若しくは長期的に記憶し保存しておくことができるようにするため備えられている。
【００９０】
前記画像処理部８５は、上述したように、読取ユニット６０の固定状態を検知するための検知部の一部を構成するとともに、読取ユニット６０によって読み取られた原稿の画像データに対し、各種処理を施す部分である。例えば、読み取った画像データの濃度調整を行うシェーディング補正や、画像読取装置１の読取特性を考慮して画像データを原稿の濃度にあわせるγ補正等の各種の処理が行われる。そして、処理後の画像データは、露光装置３３等に向けて、直接、又はＣＰＵ８１等を介して最終的に送信される。
【００９１】
ここで、固定状態の読取ユニット６０が、シェーディング板７６の下面に突出している被検出体７１を読み取った場合、読み取りデータは、例えば、画像処理部８５に送信される。この際、画像処理部８５により被検出体７１が読み取られたことを認識可能であるが、別途、画像処理部８５に付随して被検出体７１が読み取られたことを判定するための判定部８６を設けてもよい。判定部８６によれば、確実に被検出体７１を読み取ったこと判定でき、読取ユニット６０が固定状態であることを検知できる。
【００９２】
このように、読取ユニット６０の固定状態が検知された場合、制御信号出力部８７からモータＭに向けて、モータＭへの電力供給を遮断しモータＭの回転を停止させる旨の制御信号が発せられる。このモータＭは、読取ユニット６０を移動させるための巻取ドラム５５につながっているから、読取ユニット６０の移動が停止される。このようにして、モータＭや移動機構６９を構成するギア等の要素、読取ユニット６０等の故障が防止される。
【００９３】
又、本実施形態に係る画像読取装置１や画像形成装置２は、読取ユニット６０が被検出体７１を読み取り画像処理部８５により読取ユニット６０の固定状態が検知された場合、警告音を発する音源８８を備えるようにしてもよい。この音源８８は、制御信号出力部８７からの出力信号により制御され、画像読取装置１や画像読取装置１内に適宜設けることが可能である。そして、読取ユニット６０が固定状態の際に主電源が投入され、更には、画像読取を行う旨の入力がなされた場合、音源８８により警告音を発生させれば、使用者に、固定状態であることを認識させることができる。
【００９４】
音源８８は、例えば音源用ＬＳＩとスピーカ等により構成でき、例えば電子音や「読み取り装置のロックを解除して下さい。」といったメッセージ音声を発するようにしてもよく、使用者に注意を喚起できればよい。尚、音源８８は、専用のものを用いてもよいが、画像読取装置１や画像形成装置２は、警告音以外に、動作や入力の際に電子音やメッセージを発生させることがあるから、このような電子音、メッセージを発する音源８８として兼用してもよい。
【００９５】
又、図８（ｂ）に示すように、画像形成装置２には、通常、画像形成のスタートや形成すべき画像の枚数の入力、設定を行って操作を行う入力部Ｎとともに、画像形成装置２の状態を示すための表示部８９が備えられる。尚、表示部８９は、タッチパネル形式により両面コピー、白黒反転、ＦＡＸ機能等の様々な処理の設定を行えるようになっている。そして、表示部８９は、読取ユニット６０が固定状態で主電源が投入されたり、スタートボタンが押されたりした際に被検出体７１が読み取られ読取ユニット６０の固定状態を画像処理部８５が検知した場合、読取ユニット６０が固定状態であることを表示する。尚、表示部８９の制御も音源８８と同様に、制御信号出力部８７からの出力信号により制御されるようにすることができる。
【００９６】
そして、表示部８９には、「読み取り装置がロック状態です。」「読み取り装置のロックを解除して下さい。」等といったメッセージを表示させればよい。これにより、使用者に対し視覚により注意を喚起することができる。
【００９７】
このようにして、原稿を載置する透光性の原稿載置面５２と、原稿載置面５２の下方に配され、移動機構６９により水平方向で移動され、原稿載置面５２に載置された原稿に光を照射し、その反射光により原稿を読み取る読取ユニット６０と、読み取った原稿の画像データを処理する画像処理部８５を備えた画像読取装置１において、読取ユニット６０を所定の位置で固定するための固定部７０と、読取ユニット６０が固定状態であることを検知するための検知部を有し、検知部は、読取ユニット６０と、固定部７０による読取ユニット６０の固定に連動して固定状態での読み取り範囲に突出される被検出体７１と、画像処理部８５で構成され、固定状態の読取ユニット６０が読み取りを行い、被検出体７１が突出されていることを画像処理部８５が認識することで、読取ユニットの固定状態を検知するようにすれば、固定部７０により輸送中は読取ユニット６０を固定することができ、輸送中の振動や衝撃による読取ユニット６０の光学系部材のずれ、変形、破損を防止することができる。又、輸送中に、読取ユニット６０が画像読取装置１の枠体６７等に衝突して読取ユニット６０、光学系部材、画像読取装置１が破損、変形することがなくなる。
【００９８】
更に、読取ユニット６０が固定状態における読み取り範囲に被検出体７１が突出するから、被検出体７１を読取ユニット６０が読み取ることで、読取ユニット６０自らが固定状態であることを確実に検知することができる。しかも、固定部７０の読取ユニット６０の固定に連動して被検出体７１を読み取り範囲に突出させるだけでよい。従って、固定状態を検知するための特別なセンサを設けることがないから、コスト面で有利であり、又、構成も簡易な画像読取装置１を提供することができる。
【００９９】
又、固定部７０と被検出体７１は一つの部材として構成されるようにすれば、固定部７０と被検出体７１は１つの部材として構成されるから、固定部７０と被検出体７１の連動を容易にすることができる。更に、２つの部材で構成するよりも安価にできるからコスト面で有利であり、又、画像読取装置１内での取付、支持が容易となり画像読取装置１の組立性を向上させることができる。
【０１００】
又、読取ユニット６０の固定及び固定の解除を選択し、操作するため、装置本体の表面に操作部材７７が設けられており、操作部材７７は、固定部７０及び被検出体７１と連結されるようにすれば、固定部７０及び被検出体７１と連結される操作部材７７により読取ユニット６０の固定及びその解除を行うから、読取ユニット６０の固定状態又は解除状態の選択や操作を容易に行うことができる。更に、例えば、読取ユニット６０の固定をネジ止めするなど、特別な固定用の器具を用いる必要もない。従って、使用者の利便性を向上させることができる。
【０１０１】
又、読取ユニット６０のシェーディング補正に用いられるシェーディング板７６を備え、固定状態の読取ユニット６０とシェーディング板７６の間に、被検出体７１が突出するようにすれば、被検出体７１が突出する範囲の好適な一例を示すことができる。具体的にいうと、画像読取装置１の主電源が入れられた場合、初期動作として、読取ユニット６０はシェーディング補正を行うため白板状のシェーディング板７６を読み取る。従って、読取ユニット６０が固定状態であるにもかかわらず誤って電源が投入された場合、このシェーディング板７６上に支持部材を突出させておけば、読取ユニット６０が固定状態であることを確実に検知することができる。
【０１０２】
又、検知部が読取ユニット６０の固定状態を検知した場合に移動機構６９を停止させるための制御部８０を有するようにすれば、制御部８０は、読取ユニット６０が被検出体７１を読み取った場合、移動機構６９を停止させるから、移動機構６９を構成する例えばモータＭやギア等の機械要素に過負荷がかかることがなく、モータＭの脱調や故障、ギア等の変形・破損等の不具合を防ぐことができ、又、読取ユニット６０自体も変形・破損をなくすことができる。
【０１０３】
又、検知部が読取ユニット６０の固定状態を検知した場合に警告音を発する音源８８を備えるようにすれば、読取ユニット６０が固定状態であることを読み取った場合、音により固定状態であることを知らせることができ、使用者の注意を喚起することができる。
【０１０４】
又、画像形成装置２は、上述のであって読取ユニット６０を画像読取装置１を備えるようにすれば、読取ユニット６０が固定状態であることを容易に検知することができ、固定状態の読取ユニット６０が移動することによる故障や破損を無くすことができ、使用者にとって利便性の高い画像形成装置２を提供することができる。
【０１０５】
又、画像形成装置２の状態を表示するための表示部８９を備え、表示部８９は、検知部が読取ユニットの固定状態を検知した場合に読取ユニット６０が固定状態であることを表示するようにすれば、視覚により伝達することで、読取ユニット６０が固定状態であることを使用者に迅速に理解させることができる。
【０１０６】
以上、本発明の実施形態につき説明したが、本発明の範囲はこれに限定されるものではなく、発明の主旨を逸脱しない範囲で種々の変更を加えて実施することができる。
【産業上の利用可能性】
【０１０７】
本発明は、画像形成装置２における定着装置４０及びこれを用いた画像形成装置２において利用可能である。
【図面の簡単な説明】
【０１０８】
【図１】本発明の実施形態に係る画像形成装置の概略構成を示す正面から見た模型的断面図である。
【図２】本発明の実施形態に係る画像読取装置の枠体を背面上方から見た斜視図である。
【図３】本発明の実施形態に係る画像読取装置を正面から見た一部断面図である。
【図４】本発明の実施形態に係る読取ユニットの固定状態を説明するための正面から見た断面図である。
【図５】本発明の実施形態に係る画像読取装置の一部を破断した右斜め上正面からみた斜視断面図である。
【図６】（ａ）は、本発明の実施形態に係る読取ユニットの固定が解除され、被検出体が突出していない状態を示す上面図である。（ｂ）は、本発明の実施形態に係る読取ユニットが固定され、被検出体が突出している状態を示す上面図である。
【図７】本発明の実施形態に係る被検出体の読み取りを説明するための拡大正面断面図である。
【図８】（ａ）は、本発明の実施形態に係る画像読取装置の読取ユニットの制御部の一例を示すブロック図である。（ｂ）は、本発明の実施形態に係る画像形成装置の表示部の一例を説明するための上面図である。
【符号の説明】
【０１０９】
１      画像読取装置                    ７６  シェーディング板
２      画像形成装置                    ７７  操作部材
５２    原稿載置面                      ８０  制御部
５４    ワイヤ（移動機構６９）          ８５  画像処理部（検知部）
５５    巻取ドラム（移動機構６９）      ８８  音源
６０    読取ユニット（検知部）          ８９  表示部
６０１  第１読取ユニット
６０２  第２読取ユニット
７０  固定部（固定・検出用部材７００）
７１  被検出体（検知部、固定・検出用部材７００）
【図１】
2008211281.tif 000003
【図２】
2008211281.tif 000004
【図３】
2008211281.tif 000005
【図４】
2008211281.tif 000006
【図５】
2008211281.tif 000007
【図６】
2008211281.tif 000008
【図７】
2008211281.tif 000009
【図８】
2008211281.tif 000010